(57)【要約】【課題】屋根からの落下水を確実に軒樋に導き、更に軒樋での落下水の水撥ねを抑制した軒先樋構造を提供する。【解決手段】屋根１から流れ落ちた落下水２を水受け面３１で受ける軒樋３と、落下水２の衝撃を緩和する水撥ね防止部材４とが軒先付近に取り付けられる軒先樋構造であって、水撥ね防止部材４は基端部４１と、基端部４１から多数本伸びた柔軟な繊維状の軟質弾性体４２とを有しており、この水撥ね防止部材４は基端部４１を前記軒樋３の上方における屋根１側に固定することで、軟質弾性体４２が外界に向かって水受け面３１を覆うように伸び、軟質弾性体４２の先端が水受け面３１上に位置するものであり、落下水２を軟質弾性体４２で受けることで落下の衝撃を緩和して、水受け面３１へと流下させるようになしたことを特徴とする軒先樋構造。【選択図】図１
2007197929.tif 000002
【特許請求の範囲】
【請求項１】
屋根から流れ落ちた落下水を水受け面で受ける軒樋と、落下水の衝撃を緩和する水撥ね防止部材とが軒先付近に取り付けられる軒先樋構造であって、水撥ね防止部材は基端部と、基端部から多数本伸びた柔軟な繊維状の軟質弾性体とを有しており、この水撥ね防止部材は基端部を前記軒樋の上方における屋根側に固定することで、軟質弾性体が外界に向かって水受け面を覆うように伸び、軟質弾性体の先端が水受け面上に位置するものであり、落下水を軟質弾性体で受けることで落下の衝撃を緩和して、水受け面へと流下させるようになしたことを特徴とする軒先樋構造。
【請求項２】
前記軒樋は樋吊具によって支持されており、水撥ね防止部材は、その基端部を樋吊具に固定することで取り付けられるものであることを特徴とする請求項１記載の軒先樋構造。
【発明の詳細な説明】
【技術分野】
【０００１】
本願発明は、屋根の軒先に軒樋と、屋根からの落下水の衝撃を緩和する水撥ね防止部材とが設けられた軒先樋構造に関するものである。
【背景技術】
【０００２】
従来から、特開平９−１２５６３０号公報（特許文献１）に示されるように、屋根からの落下水の衝撃を緩和する水撥ね防止部材が設けられた軒先樋構造は知られている。この軒先樋構造は図３に示すように、屋根１の軒先に沿って軒樋３と水撥ね防止部材４とが設けられ、水撥ね防止部材４は取付部４３と、この取付部４３の下部先端から下方に延設されて硬質の材料で形成された部材本体４４とを有している長尺体である。部材本体４４の先端側は櫛歯形状４５になっており、取付部４３が屋根１の下端部に取り付けられ、部材本体４４の先端は軒樋３の中に挿入されているものである。
【０００３】
したがって、この場合には、屋根１からの落下水は、櫛葉形状４５に落下し軒樋３へと導かれることで落下の衝撃が緩和されるため、軒樋３の水受け面３１で落下水が大きく水撥ねするのを防ぐことができ、軒先に設けられた鼻板６が落下水により汚れたり劣化したりしないようになしている。
【特許文献１】特開平９−１２５６３０号公報
【発明の開示】
【発明が解決しようとする課題】
【０００４】
しかしながら、上記従来例である軒先樋構造にあっては、部材本体４４は硬質な材料で形成されているため、櫛葉形状４５に落下した落下水の一部が軒樋３へ導かれないで、大きく水撥ねして外界へと流出するという問題が生じる。
【０００５】
本願発明は、上記背景技術に鑑みて発明されたものであり、その課題は、屋根からの落下水を確実に軒樋に導き、更に軒樋での落下水の水撥ねを抑制した軒先樋構造を提供することである。
【課題を解決するための手段】
【０００６】
上記課題を解決するために、本願請求項１記載の発明では、屋根から流れ落ちた落下水を水受け面で受ける軒樋と、落下水の衝撃を緩和する水撥ね防止部材とが軒先付近に取り付けられる軒先樋構造であって、水撥ね防止部材は基端部と、基端部から多数本伸びた柔軟な繊維状の軟質弾性体とを有しており、この水撥ね防止部材は基端部を前記軒樋の上方における屋根側に固定することで、軟質弾性体が外界に向かって水受け面を覆うように伸び、軟質弾性体の先端が水受け面上に位置するものであり、落下水を軟質弾性体で受けることで落下の衝撃を緩和して、水受け面へと流下させるようになしたことを特徴としている。
【０００７】
又、本願請求項２記載の発明では、上記請求項１記載の軒先樋構造において、前記軒樋は樋吊具によって支持されており、水撥ね防止部材は、その基端部を樋吊具に固定することで取り付けられるものであることを特徴としている。
【発明の効果】
【０００８】
本願請求項１記載の発明の軒先樋構造においては、外界に向かって水受け面を覆うように伸びた軟質弾性体が多数本の柔軟な繊維状に形成されているため、この軟質弾性体で落下水を受けることにより落下の衝撃を緩和することができ、落下水が外界へと大きく水撥ねするのを防ぐことができる。更に、落下の衝撃が緩和された落下水は、軟質弾性体から軒樋へと流下しても水受け面で大きく水撥ねすることがないため、軒先に設けられた鼻板が落下水により汚れたり劣化したりするのを防ぐことができる。
【０００９】
又、軒樋の水受け面は軟質弾性体で覆われているため、枯葉等が軒樋の中へ入るのを防ぐことができ、軒樋の中に枯葉等が堆積することで落下水が軒樋の中に入り難くなるといった問題を解決することができる。
【００１０】
又、軟質弾性体は外界に向かって水受け面を覆うように伸び、軟質弾性体の先端が水受け面上に位置するようになしているため、軟質弾性体で受けた落下水を外界へ流出させることなく確実に軒樋の中へと流下させることができる。
【００１１】
又、本願請求項２記載の発明の軒先樋構造においては、水撥ね防止部材は、軒樋を支持する樋吊具に取り付けることができるため、水撥ね防止部材の一部を屋根と鼻板との間に挟みこませて取り付ける場合と比べて、施工が容易になるものである。更に、水撥ね防止部材は軒樋が取り付けられる樋吊具に固定するため、固定と同時に軒樋との位置合わせもされて、施工がより容易になるものである。
【発明を実施するための最良の形態】
【００１２】
図１、２は、本願請求項１、２に対応した一実施形態である軒先樋構造を示している。この軒先樋構造は屋根１から流れ落ちた落下水２を水受け面３１で受ける軒樋３と、落下水２の衝撃を緩和する水撥ね防止部材４とが軒先付近に取り付けられる軒先樋構造であって、水撥ね防止部材４は基端部４１と、基端部４１から多数本伸びた柔軟な繊維状の軟質弾性体４２とを有している。この水撥ね防止部材４は前記軒樋３を支持する樋吊具５の固定部５１に基端部４１を固定することで、軟質弾性体４２が外界に向かって水受け面３１を覆うように伸び、軟質弾性体４２の先端が水受け面３１上に位置するものである。
【００１３】
以下、この実施形態の軒先樋構造を、より具体的詳細に説明する。図１に示すように、鼻板６の上に屋根１があり、鼻板６と屋根１との間に水切板７が挟まれて設けられており、鼻板６の外界表面には樋吊具５が取り付けられている。この樋吊具５には鼻板６との接続部付近に挟み込み式の固定部５１が設けられており、この固定部５１に基端部４１を挟み込ませることで、水撥ね防止部材４を樋吊具５に固定する。軒樋３は樋吊具５に設けられた係止部５２に係止することにより樋吊具５に取り付けられる。軒樋３を樋吊具５に取り付けた際、軟質弾性体４２は外界に向かって水受け面３１を覆うように伸び、軟質弾性体４２の先端が水受け面３１上に位置するようになしている。
【００１４】
又、図２に示すように、軟質弾性体４２は軟質樹脂等の柔軟な繊維状の材料が、多数本で束になって板棒形状の基端部４１から伸びており、雨水等による屋根１からの落下水２をこの軟質弾性体４２で受けることにより落下の衝撃を緩和し、軒樋３の水受け面３１へと流下させる。
【００１５】
したがって、この実施形態の軒先樋構造においては、外界に向かって水受け面３１を覆うように伸びた軟質弾性体４２が多数本の柔軟な繊維状に形成されているため、この軟質弾性体４２で落下水２を受けることにより落下の衝撃を緩和することができ、落下水２が外界へと大きく水撥ねするのを防ぐことができる。更に、落下の衝撃が緩和された落下水２は、軟質弾性体４２から軒樋３へと流下しても水受け面３１で大きく水撥ねすることがないため、軒先に設けられた鼻板６が落下水２により汚れたり劣化したりするのを防ぐことができる。
【００１６】
又、軒樋３の水受け面３１は軟質弾性体４２で覆われているため、枯葉等が軒樋３の中へ入るのを防ぐことができ、軒樋３の中に枯葉等が堆積することで落下水２が軒樋３の中に入り難くなるといった問題を解決することができる。
【００１７】
又、軟質弾性体４２は外界に向かって水受け面３１を覆うように伸び、軟質弾性体４２の先端が水受け面３１上に位置するようになしているため、軟質弾性体４２で受けた落下水２を外界へ流出させることなく確実に軒樋３の中へと流下させることができる。
【００１８】
又、水撥ね防止部材４は、軒樋３を支持する樋吊具５に取り付けることができるため、水撥ね防止部材４の一部を屋根１と鼻板６との間に挟みこませて取り付ける場合と比べて、施工が容易になるものである。更に、水撥ね防止部材４は軒樋３が取り付けられる樋吊具５に固定するため、固定と同時に軒樋３との位置合わせもされて、施工がより容易になるものである。
【００１９】
なお、この軒先樋構造では、水撥ね防止部材４は樋吊具５付近の軒樋３のみを覆っており、特に、落下水２が樋吊具５に接触して大きく水撥ねするのを防いでいるが、水撥ね防止部材４は樋吊具５付近だけでなく、軒先に沿った軒樋３全体を覆っていてもよい。
【図面の簡単な説明】
【００２０】
【図１】本願発明の一実施形態である軒先樋構造を示す断面図。
【図２】本願発明の一実施形態である水撥ね防止部材を示す斜視図。
【図３】従来例である軒先樋構造を示す斜視図。
【符号の説明】
【００２１】
１  屋根
２  落下水
３  軒樋
31  水受け面
４  水撥ね防止部材
41基端部
42軟質弾性体
５  樋吊具
51  固定部
【図１】
2007197929.tif 000003
【図２】
2007197929.tif 000004
【図３】
2007197929.tif 000005